(57)【特許請求の範囲】
【請求項１】
上，下シェルの周壁を突き合せることによって形成したカートリッジ筐体内に、ディスク状記録媒体と、インナーロータと、シャッタとを収納し、インナーロータを回転させることにより、シャッタをカートリッジ筐体のシェルに設けた開口部を閉じる第１の位置と、上記開口部を解放する第２の位置との間で移動させるディスクカートリッジにおいて、
上，下シェルの周壁の内側には、上，下シェルの周壁の突き合せ面側からディスク状記録媒体側に塵埃が侵入するのを阻止するクランク状の第１の塵埃侵入阻止部を設けたことを特徴とするディスクカートリッジ。
【請求項２】
上記第１の塵埃侵入阻止部は、上，下シェルの一方のシェルの周壁の内面に重ね合わされていて上記周壁の先端部から突出する第１の防塵壁と、他方のシェルに設けられていて上記第１の防塵壁の内面に重なる第２の防塵壁とからなり、上記第１，第２の防塵壁の高さは、少なくても一方が上シェルの周壁の高さに下シェルの周壁の高さを加えた値と略等しい高さに形成されていることを特徴とする請求項１に記載のディスクカートリッジ。
【請求項３】
上記第１の防塵壁と第２の防塵壁との間のクリアランスは、０．１ｍｍ以上で、かつ０．５ｍｍ以下に設定されていることを特徴とする請求項２に記載のディスクカートリッジ。
【請求項４】
上，下シェルの周壁を突き合せることによって形成したカートリッジ筐体内に、ディスク状記録媒体と、インナーロータと、シャッタとを収納し、インナーロータを回転させることにより、シャッタをカートリッジ筐体のシェルに設けた開口部を閉じる第１の位置と、開口部を解放する第２の位置との間で移動させるディスクカートリッジにおいて、
シェルとシャッタの摺接面には、開口部側からディスク状記録媒体側に塵埃が侵入するのを阻止するクランク状の第２の塵埃侵入阻止部を設けたことを特徴とするディスクカートリッジ。
【請求項５】
上記第２の塵埃侵入阻止部は、開口部を囲むようにカートリッジ筐体のシェルに設けられたリブ状の凸部と、シャッタが開口部を閉じる第１の位置に移動してきたときに上記リブ状の凸部が嵌合する溝状の凹部と、で構成されていることを特徴とする請求項４に記載のディスクカートリッジ。
【請求項６】
上，下シェルの周壁を突き合せることによって形成したカートリッジ筐体内に、ディスク状記録媒体と、インナーロータと、シャッタとを収納し、インナーロータを回転させることにより、シャッタをカートリッジ筐体のシェルに設けた開口部を閉じる第１の位置と、開口部を解放する第２の位置との間で移動させるディスクカートリッジにおいて、
シェルとシャッタの摺接面には、開口部側からディスク状記録媒体側に塵埃が侵入するのを阻止する凹凸状の第３の塵埃侵入阻止部を設けたことを特徴とするディスクカートリッジ。
【請求項７】
上記第３の塵埃侵入阻止部は、上記シャッタの第２の塵埃侵入阻止部の内側に、開口部から侵入してきた塵埃に対して交差する方向に多数の凹凸部を設けることにより形成されていることを特徴とする請求項６に記載のディスクカートリッジ。
【発明の詳細な説明】
【０００１】
【発明の属する技術分野】
本発明は、光ディスクや光磁気ディスク、磁気ディスク等のディスク状記録媒体がカートリッジ筐体のディスク収納室内に回転自在に収納されたディスクカートリッジ、特に、上，下シェルの周壁を突き合せることによって形成したカートリッジ筐体内に、ディスク状記録媒体と、インナーロータと、シャッタとを収納し、インナーロータを回転させることにより、シャッタをカートリッジ筐体のシェルに設けた開口部を閉じる第１の位置と、開口部を解放する第２の位置との間で移動させるようにしたディスクカートリッジに関するものである。
【０００２】
【従来の技術】
従来、一般に、音声、映像或いはコンピュータのデータ等の情報の記録及び／又は再生が可能なディスク状記録媒体がカートリッジ筐体内に回転自在に収納されたディスクカートリッジとしては、例えば、コンピュータのデータ等の情報を使用者が後から記録書き込みできる追記型あるいは書換型光ディスクを内蔵しているものが知られている。
【０００３】
図２４に示すように、上記ディスクカートリッジ１０１は、上シェル１０２ａ及び下シェル１０２ｂによって構成されるカートリッジ筐体１０２内に光ディスク１０３が回転自在に収納されている。
【０００４】
カートリッジ筐体１０２の上下面には光ディスク１０３を外部に臨ませる開口部１０４が設けられている。カートリッジ筐体１０２には開口部１０４を開閉するシャッタ１０５がスライド可能に取り付けられている。
【０００５】
一方、光ディスク１０３の中央部には、金属によって円盤状に形成されたセンタハブ１０６が取り付けられている。このセンタハブ１０６は、情報記録再生装置の本体側に設けられるターンテーブルにチャッキングされる。センタハブ１０６をターンテーブルにチャッキングされた光ディスク１０３は、所定速度（例えば、線速度一定）で回転駆動される。そして、開口部１０４を介して、光学ピックアップ装置の働きにより、光ディスク１０３に対する情報信号の記録又は再生が行われる。
【０００６】
【発明が解決しようとする課題】
近年、光ディスクの大容量化・高記録密度化の流れの中、記録パターンの狭ピッチ化、線密度の増大化が進んでいる。このような大容量化・高記録密度の光ディスク或いは光ディスクは、記録面上にゴミや埃（以下、塵埃という）が侵入することによって読取り或いは書込みビームが遮蔽されたり、情報記録面への傷つけによって正常な情報の読み書きができなくなってしまう場合がある。
【０００７】
ところで、従来のディスクカートリッジ１０１は、カートリッジ筐体１０２の外側に断面コ字状のシャッタ１０５を嵌め込んでスライド可能に取り付けているために、カートリッジ筐体１０２とシャッタ１０５との間に隙間が発生しやすく、微小な塵埃の侵入を防ぐことが難しいという問題点があった。また、カートリッジ筐体１０２の外側にシャッタ１０５が所謂剥き出しの状態で取り付けられているため、使用者が誤ってシャツタ１０５をスライドさせて、開口部１０４を解放してしまう虞れがあった。更に、シャッタ１０５がカートリッジ筐体１０２の一辺に沿って直線的に移動するため、カートリッジ筐体１０２の表面積を小さくできないという問題点もあった。
【０００８】
本発明は、上記従来に問題点を解決し、微小な塵埃等の侵入も許さない防塵効果に優れたディスクカートリッジを提供することを目的としてなされたものである。
【０００９】
【課題を解決するための手段】
本発明は、上，下シェルの周壁を突き合せることによって形成したカートリッジ筐体内に、ディスク状記録媒体と、インナーロータと、シャッタとを収納し、インナーロータを回転させることにより、シャッタをカートリッジ筐体のシェルに設けた開口部を閉じる第１の位置と、上記開口部を解放する第２の位置との間で移動させるディスクカートリッジであって、
上，下シェルの周壁の内側には、上，下シェルの周壁の突き合せ面側からディスク状記録媒体側に塵埃が侵入するのを阻止するクランク状の第１の塵埃侵入阻止部を設けた。
【００１０】
また、本発明は、シェルとシャッタの摺接面に、開口部側からディスク状記録媒体側に塵埃が侵入するのを阻止するクランク状の第２の塵埃侵入阻止部及び／又は凹凸状の第３の塵埃侵入阻止部を設けた。
【００１１】
このように、本発明のディスクカートリッジは、カートリッジ筐体内にシャッタを収納したので、使用者が誤ってシャツタをスライドさせてしまうのを防止することができる。また、上，下シェルの周壁の突き合せ面側から侵入してきた塵埃をクランク状の第１の塵埃侵入阻止部でカットすると共に、開口部側から侵入してきた塵埃をクランク状の第２の塵埃侵入阻止部及び／又はラビリンス状の第３の塵埃侵入阻止部でカットして、微小な塵埃から大容量化・高記録密度の光ディスク或いは光磁気ディスク等のディスク状記録媒体を保護する。
【００１２】
【発明の実施の形態】
以下、本発明のディスクカートリッジを、（１）ディスクカートリッジ及び第１〜第３の塵埃侵入阻止部の概略構成、（２）カートリッジ筐体の構成、（３）ディスク状記録媒体の構成、（４）インナーロータの構成、（５）シャッタの構成、（６）ディスクカートリッジの組立方法、（７）作用、（８）他の実施例、の各項に分けて順に説明する。
【００１３】
（１）ディスクカートリッジ及び第１〜第３の塵埃侵入阻止部の概略構成
図１はディスクカートリッジを上シェル側から見た斜視図、図２は分解斜視図、図３は下シェル側から見たシャッタ開状態の斜視図、図４は分解斜視図である。  図１〜図４に示したように、ディスクカートリッジ１は、カートリッジ筐体２内に、ディスク状記録媒体３と、インナーロータ４と、シャッタ５とを収納することにより構成されていて、インナーロータ４を一方向に回転させると、シャッタ５がカートリッジ筐体２に設けた開口部６を閉じる第１の位置に移動し、インナーロータ４を他方向に回転させると、シャッタ５がカートリッジ筐体２に設けた開口部６を解放する第２の位置に移動するようになっている。
【００１４】
カートリッジ筐体２は、上，下シェル２１，２２の周壁２１ａ，２２ａを突き合せることにより形成されていて、下シェル２２に上記開口部６が設けられている。  図５に示したように、上，下シェル２１，２２の周壁２１ａ，２２ａの内側には、上，下シェルの周壁２１，２２の突き合せ面Ｓからディスク状記録媒体３側に塵埃が侵入するのを阻止するクランク状の第１の塵埃侵入阻止部１１が設けられている。
【００１５】
第１の塵埃侵入阻止部１１は、下シェル２２の周壁２２ａの内面に重ね合わせた状態で、これと一体に形成された第１の防塵壁１１ａと、上シェル２１に設けられていて上記第１の防塵壁１１ａの内面に重なる第２の防塵壁１１ｂとで構成されている。
【００１６】
第１の防塵壁１１ａと第２の防塵壁１１ｂとの間のクリアランスＣは、０．１ｍｍ以上、０．５ｍｍ以下に設定されている。
【００１７】
また、第１の防塵壁１１ａと第２の防塵壁１１ｂの高さＨ１は、少なくてもどちらか一方が上シェル２１の周壁２１ａの高さＨ２に、下シェル２２の周壁２２ａの高さＨ３を加えた値と略等しい値に形成されている。
【００１８】
図６に示したように、下シェル２２とシャッタ５の摺接面（接触面）には、シャッタ５が開口部６を閉じる第１の位置にある状態において、開口部６からディスク状記録媒体３側に塵埃が侵入するのを阻止するクランク状の第２の塵埃侵入阻止部１２が設けられている。
【００１９】
第２の塵埃侵入阻止部１２は、開口部６を囲むように下シェル２２に設けられたリブ状の凸部１２ａと、シャッタ５に設けられていて該シャッタ５が開口部６を閉じる第１の位置に移動してきたときに上記リブ状の凸部１２ａが嵌合する溝状の凹部１２ｂとで構成されている。
【００２０】
リブ状の凸部１２ａと溝状の凹部１２ｂの幅方向の端部は、傾斜面１２ｃになっていて、シャッタ５が開口部６を閉じている第１の位置から開口部６を解放する第２の位置に移動する際に、リブ状の凸部１２ａが溝状の凹部１２ｂから抜け出しやすくなっている。
【００２１】
また、下シェル２２とシャッタ５の摺接面の上記クランク状の第２の塵埃侵入阻止部１２よりも更に内側には、凹凸状の第３の塵埃侵入阻止部１３が設けられている。
【００２２】
（２）カートリッジ筐体の構成
上述したように、カートリッジ筐体２は、上，下シェル２１，２２の周壁２１ａ，２２ａを突き合せることにより形成されている。
【００２３】
図７に示したように、上シェル２１は、正面側が円弧形状とされた略四角形をなす薄い皿状部材からなり、外周縁部には周壁２１ａが設けられている。
【００２４】
周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００２５】
周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分のそれぞれには、次に説明する下シェル２２の第１の防塵壁１１ａの内側に重なり合って、第１の防塵壁１１ａと共に第１の塵埃侵入阻止部１１を構成する第１の防塵壁１１ｂが設けられている。
【００２６】
上述したように、第１の防塵壁１１ａと第２の防塵壁１１ｂの高さＨ１は、上シェル２１の周壁２１ａの高さＨ２に、下シェル２２の周壁２２ａの高さＨ３を加えた値（Ｈ１＝Ｈ２＋Ｈ３）の高さに形成されている。
【００２７】
第２の防塵壁１１ｂの内側には、これと略同じ高さの円弧状リブ１４が、第２の防塵壁１１ｂの一端部から他端部に跨るように円弧状に形成されている。
【００２８】
円弧状リブ１４の内側には、リング状リブ１５が設けられている。このリング状リブ１５の内側は、ディスク状記録媒体３の収納部１６になっている。
【００２９】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、インナーロータ４のリング部４１の先端面に設けたインナーロータ側のリフトアップ用の凸部４６が乗り上げることにより、インナーロータ４を上シェル２１から離間する方向に移動させるようになっている。
【００３０】
図８に示したように、下シェル２２は、上シェル２１と同様に正面側が円弧形状とされた略四角形をなす薄い皿状部材からなり、外周縁部には周壁２２ａが設けられている。
【００３１】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００３２】
周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、それぞれ上シェル２１の第２の防塵壁１１ｂの外側に重なり合って、第２の防塵壁１１ｂと共に第１の塵埃侵入阻止部１１を構成する第１の防塵壁１１ａが設けられている。
【００３３】
第１の防塵壁１１ａは、下シェル２２の周壁２２ａの先端から突出するように、下シェル２２の周壁２２ａの内面に重ね合わせた状態でこれと一体に形成されている。上述したように、第１の防塵壁１１ａの高さＨ１は、下シェル２２の周壁２２ａの高さＨ２に、上シェル２１の周壁２１ａの高さＨ３を加えた値（Ｈ１＝Ｈ２＋Ｈ３）の高さに形成されている。
【００３４】
第１の防塵壁１１ａの内側には、これと略同じ高さの円弧状リブ１９が、第１の防塵壁１１ａの一端部から他端部に跨るように円弧状に形成されている。
【００３５】
下シェル２２の円弧状リブ１９…１９の内側は、インナーロータ４の肉厚方向の略半分及び一対のシャッタ５を収納する収納部になっている。
【００３６】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００３７】
そして、上，下シェル２１，２２を重ね合わせると、図５に示したように、上シェル２１の第２の防塵壁１１ｂが下シェル２２の第１の防塵壁１１ａの内側面に０．１ｍｍ以上、０．５ｍｍ以下のクリアランスＣで重なり合って、第１の塵埃侵入阻止部１１が形成される。また、第１の塵埃侵入阻止部１１の内側（ディスク収納部側）においては、上シェル２１の円弧状リブ１４と下シェル２２の円弧状リブ１９が重なり合って、該部においても塵埃侵入阻止部が構成されている。
【００３８】
下シェル２２には、中央部から前縁部２２ｂにかけて開口部６が設けられている。この開口部６は、ディスク回転駆動機構のターンテーブルと光学ピックアップ装置の光学ヘッドをディスク状記録媒体３に臨ませるためのもので、これらが自由に出入りできる広さに設定されている。
【００３９】
第２の塵埃侵入阻止部１２を構成するリブ状の凸部１２ａは、開口部６を囲むように平面視略Ｈ形状に、且つ略０．５ｍｍ程度の高さに形成されている。略Ｈ形状のリブ状の凸部１２ａの４つの端部には第１〜第４の背高部（閉塞部）１２ｄ〜１２ｇが設けられている。第１〜第４の背高部１２ｄ〜１２ｇは、リブ状の凸部１２ａの高さの２倍程度の高さに形成されている。略Ｈ形状のリブ状の凸部１２ａの４端部は第１〜第４の背高部１２ｄ〜１２ｇを介して、上記円弧状リブ１９に接続されている。また、下シェル２２の内面には、後に説明する一対のシャッタ部材５ａ，５ｂの長孔５３に挿入されるボス状（円柱状）の凸部２０が設けられている。ボス状の凸部２０は、上記略Ｈ形状のリブ状の凸部１２ａを挟んでその両側部に１個づつ形成されている。
【００４０】
また、図３に示したように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、ディスクカートリッジ１をディスク記録再生装置に装着する際の誤挿入防止等を目的として設けられたものである。このガイド溝３１には開口窓３０が連通されている。
【００４１】
図２に示したように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００４２】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００４３】
上記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、図２に示したように、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
（３）ディスク状記録媒体の構成
ディスク状記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能（追記型）若しくは何度でも繰り返して記録可能（書換え型）とされた記録可能型の光ディスクが知られているが、実施例では記録可能型の光ディスク（以下、ディスク状記録媒体を単に光ディスクと称する）が使用されている。
【００４４】
図４に示したように、光ディスク３は、中央部にセンタ穴３ａが設けられた厚みの薄い円板状の記録部材からなる。この光ディスク３の中央部の一面には、センタ穴３ａを覆うようにセンタハブ２８が接着剤等の個着手段によって固定されている。
【００４５】
センタハブ２８は、マグネットによって吸着される鉄板等の磁性材料によって形成されている。このセンタハブ２８にはディスク記録再生装置に内蔵されるディスク回転駆動装置のターンテーブルがセンタ穴３ａを介して嵌合される。このターンテーブルに設けられたマグネットの磁力によってセンタハブ２８が吸着され、光ディスク３がターンテーブルにチャッキングされて回転方向に一体化され、このターンテーブルが取り付けられるスピンドルモータの駆動により、所定速度（例えば、線速度一定）で回転される。
【００４６】
光ディスク３の一面には、ディスク記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の内側であるセンタハブ２８の外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００４７】
光ディスク３は、次に説明するインナーロータ４のリング部４１内に回転自在に収納される。なお、光ディスク３の基板の材質としては、例えば、ポリカーボネート（ＰＣ）やポリオレフィン等の合成樹脂が好適であるが、他の合成樹脂を用いることができることは勿論のこと、合成樹脂以外でも、ガラス材やアルミニウム合金等の各種の材料を用いることができる。
【００４８】
ディスク状記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００４９】
（４）インナーロータの構成
インナーロータ４は、図２に示すように、円盤状の薄い板材からなる平面部４０と、この平面部４０の外周縁に連続して設けられたリング部４１とを有している。インナーロータ４の平面部４０には、開口部４２が形成されている。この開口部４２は、下シェル２２の開口部６と形状及び大きさが等しく形成されている。
【００５０】
リング部４１は、上シェル２１のリング状リブ１５の外径よりも稍大径の円筒状に形成され、上記リング状リブ１５の外周に回転自在に嵌合され、その先端部が上記リング状リブ１５の外側に設けられたリング状の凹部１７に挿入されるようになっている。また、リング部４１の外周面には、周方向の所定範囲に渡って多数の歯を有するギア部４３が設けられている。このギア部４３は、インナーロータ４の回転角度よりも少々大きい角度範囲となるように設定されている。即ち、図１０に示すように、下シェル２２の開口部６に対してインナーロータ４の開口部４２が最大に傾いて、次に説明する一対のシャッタ部材５ａ，５ｂが完全に閉じた状態になると、ギア部４３の周方向の一端が開口窓３０に露出される。また、図９に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に露出される。
【００５１】
インナーロータ４のギア部４３の両側には、インナーロータ４の回転移動量を制限するストッパ部４４ａ，４４ｂが半径方向外側へ突出するように設けられている。
【００５２】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００５３】
図９に示したように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図１０に示したように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００５４】
更に、リング部４１の先端面には、周方向の２箇所にリフトアップ用の凸部４６が設けられている。これらインナーロータ側のリフトアップ用の凸部４６は、図１０に示したように、インナーロータ４の開口部４２が下シェル２２の開口部６に対して最大に傾いた状態において、図１７に示したように、上シェル２１のリング状の凹部１７内に設けたリフトアップ用の凸部１８に乗り上げるようになっている。  更に、インナーロータ４の平面部４０のリング部４１と反対側の面には、図４に示したように、一対のシャッタ部材５ａ，５ｂを平面方向へ回動自在に支持するための一対の支持軸４９，４９が設けられている。この一対の支持軸４９，４９は、開口部４２を中心にして点対称となるよう１個づつ設けられている。また、一対の支持軸４９，４９の近傍には、下シェル２２に設けた略Ｈ形状のリブ状の凸部１２ａと略同じ高さの台形状の嵌合解除用の凸部４８、４８が設けられている。これら嵌合解除用の凸部４８、４８は、シャッタ部材５ａ，５ｂが開口部６を閉じている図１０の位置（第１の位置）から開口部６を解放する図９の位置（第２の位置）に移動する際に、リブ状の凸部１２ａを溝状の凹部１２ｂから抜き出すためのものである。
【００５５】
嵌合解除用の台形状の凸部４８、４８は、図１０に示す位置において、下シェル２２に設けた略Ｈ形状のリブ状の凸部１２ａの端部に設けた第２，第４の背高部１２ｅ，１２ｇの側方に位置している。
【００５６】
（５）シャッタの構成
図１１及び図１２に示したように、シャッタ５は、同一の形状及び大きさに形成された一対のシャッタ部材５ａ，５ｂによって構成されている。上記一対のシャッタ部材５ａ，５ｂは、略半円形をなす上記リブ状の凸部１２ａの第１〜第４の背高部１２ｄ〜１２ｇの高さと略同じ板厚の板体によって形成されている。各シャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。  かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃには、軸受孔５２がそれぞれ設けられている。
【００５７】
シャッタ部材５ａ、５ｂの弦側辺の凹側接合部５０ｂ側の端部には、それぞれ下シェル２２の略Ｈ形状のリブ状の凸部１２ａの端部に設けた第２の背高部１２ｅ又は第４の背高部１２ｇを導入する切欠部５０ｄが設けられている。
【００５８】
上記軸受孔５２に平面部４０の支持軸４９を嵌合させることにより、各シャッタ部材５ａ，５ｂがインナーロータ４にそれぞれ回動自在に取り付けられる。この際、一対のシャッタ部材５ａ，５ｂは、互いの弦側辺を対向させて取り付けるようにする。その結果、図１３に示すように、一対のシャッタ部材５ａ、５ｂをそれぞれ外側へ離反させるように回動させたとき、各シャッタ部材５ａ，５ｂは、インナーローラ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図１４に示すように、開口部４２の中央部が一対のシャッタ部材５ａ，５ｂによって閉じられる。
【００５９】
更に、図１１〜図１４に示したように、シャッタ部材５ａ，５ｂの凹側接合部５０ｂ側には、このシャッタ部材５ａ，５ｂを開閉動作させるための長孔（開閉溝）５３がそれぞれ設けられている。各長孔５３は、それらが設けられているシャッタ部材５ａ，５ｂの軸受孔５２を中心に放射方向へ延びるように形成されている。この長孔５３には、下シェル２２のボス状の凸部２０が摺動可能に係合される。更に、各長孔５３の外側の端部には、周囲に切り込みを入れることによって形成された弾性片５４と、ボス状の凸部２０を逃がすための凹部５３ａとが設けられている。また、シャッタ部材５ａ，５ｂの円弧側辺には閉鎖用の凸片５５が設けられている。図１６に示したように、シャッタを閉じた状態において、上記シャッタ部材５ａの凸片５５は、下シェル２２の第１の背高部１２ｄに当接し、シャッタ部材５ｂの凸片５５は、下シェル２２の第３の背高部１２ｆに当接して、これらの間の隙間を塞ぐようになっている。
【００６０】
また、図１３、図１４に示したように、シャッタ部材５ａ，５ｂの下シェル２２との摺接面には、略Ｈ形状のリブ状の凸部１２ａと係合して、第２の塵埃侵入阻止部１２を構成する溝状の凹部１２ｂが設けられている。溝状の凹部１２ｂには、シャッタ部材５ａ，５ｂが開口部４２を閉じている状態において、下シェル２２のリブ状の凸部１２ａが嵌合するようになっている。また、第２の塵埃侵入阻止部１２の内側には、多数の凹凸からなるラビリンス状の第３の塵埃侵入阻止部１３が設けられている。
【００６１】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されあタイプの材料が好適である。しかしながら、その他の合成樹脂を適用できることは勿論のこと、アルミニウム合金、ステンレス鋼その他の金属材料を用いることもできる。
【００６２】
（６）ディスクカートリッジの組立方法
上述したような構成を有するディスクカートリッジ１の組立作業は、図４に示すように、上シェル２１を下に配置した状態で、次のような第１〜第５工程で行われる。まず、第１の工程として、上シェル２１の中央部のディスク収納部１６内に光ディスク３を載置する。このとき、光ディスク３は、センタハブ２８側の面を下にしてディスク収納部内に収納する。
【００６３】
次に、第２の工程として、光ディスク３を覆うようにインナーロータ４のリング部４１を上シェル２１のリング状リブ１５の外側に嵌合させる。これにより、インナーロータ４と上シェル２１との間に光ディスク３が回転自在に収納される。このとき、インナーロータ４の開口部４２が延在する方向を上シェル２１の前後方向に一致させ、ギア部４３の一端を開口窓３０に臨ませる。
【００６４】
次に、第３の工程として、シャッタ５をインナーロータ４に組み付ける。これは、一対のシャッタ部材５ａ，５ｂの互いの弦側を対向させ、この状態で軸受孔５２にインナーロータ４の平面部４０の支持軸４９にそれぞれ嵌合させる。そして、各シャッタ部材５ａ、５ｂを互いに離反させ、インナーロータ４の開口部４２の両側部上にそれぞれ重ね合わせする。これと同時に、又は前後して、ロック収納部３３の支持軸３５にロック部材３２を取り付ける。この際、ロック部材３２のバネ片３８を上シェル２１の前縁部２１ａの内面に当接させ、このバネ片３８のバネ力によって入力部３７を開口穴３４からガイド溝３１内に突出させる。
【００６５】
次に、第４の工程として、シャッタ５を含むインナーロータ４の上に下シェル２２を被せ、この下シェル２２を上シエル２１に重ね合わせる。下シェル２２を上シエル２１に重ね合わせると図５に示したように、上，下シェル２１，２２の周壁部の内側に設けた第１，第２の防塵壁１１ａ，１１ｂが０．１ｍｍ以上、０．５ｍｍ以下のクリアランスＣをもって重なり合って、第１の防塵侵入阻止部１１が構成されると共に、下シェル２２とシャッタ部材５ａ，５ｂの接触面間にラビリンス状の第３の塵埃侵入阻止部１３が構成される。上，下シェル２１，２２を重ね合わせるときに、下シェル２２の位置決め用凸部２２ｆを上シェル２１の位置決め用凹部２１ｆに嵌め込む。これにより、下シェル２２が上シェル２１に対して自動的に位置決めされる。この際、一対のシャッタ部材５ａ、５ｂを上述した位置に配置しておくことにより、下シェル２２に設けた一対のボス状の凸部２０，２０を一対の長孔５３，５３にそれぞれ対向させることができる。従って、一対の長孔５３，５３の位置を気に掛けることなく、下シェル２２を上シェル２１に重ね合わせるだけで一対のボス状の凸起２０，２０を一対の長孔５３，３０に係合させることができる。
【００６６】
その後、第５（最終）の工程として、複数本の固定ネジを用いて下シェル２２を上シェル２１に締め付け固定する。これにより、ディスクカートリッジ１の組立作業が完了する。この場合、固定ネジ等の別部材からなる固着手段を用いることなく、例えば、接着剤等を用いて上シェル２１と下シェル２２の接合面を直に接合する構成とすることもできる。このように、本実施例に係るディスクカートリッジによれば、使用される構成部品の数が少なく、しかも、極めて簡単に組立作業を行うことができる。
【００６７】
上述のようにして、上シェル２１に下シェル２２を重ね合わせると、下シェル２２の開口部６とインナーロータ４の開口部４２が重なり合って、これら開口部６，４２を介して光ディスク３の記録面が外部に臨むようになっている。
【００６８】
そして、この状態からインナーロータ４の外周のギヤ部４３を操作して、インナーロータ４を一方向に回転させれば、図１６に示したように、シャッタ部材５ａ，５ｂの接合部５０ａ，５０ｂが重なり合って、下シェル２２の開口部６は閉じられた状態になる。
【００６９】
この場合、上述したように一対のシャッタ部材５ａ、５ｂの接合部５０ａ，５０ｂには、それぞれ厚みが半分程度の庇部５１ａ，５１ｂがそれぞれ設けられており、これらの庇部５１ａ，５１ｂが他方の接合部５０ａ，５０ｂの下方に入り込む構成となっている。そのため、接合部５０ａ，５０ｂの全体が適度に重ね合わされることから、ラビリンス効果を生じさせて、接合部５０ａ，５０ｂの全長に亘って塵埃が入り難い構造になる。しかも、接合部５０ａ，５０ｂを内側へ回動押圧した場合には、その接合部５０ａ，５０ｂに加えられた外力を内側に位置する庇部５１ａ，５１ｂによって受けることになる。そのため、庇部５１ａ，５１ｂによって接合部５０ａ，５０ｂ間の係合状態をより強固なものにすることができ、シャッタ部材の変形を防止できると共に塵埃の侵入をより確実に防止することができる。
【００７０】
更にまた、シャッタ部材５ａ，５ｂで下シェル２２の開口部６を閉じた状態において、シャッタ部材５ａ，５ｂに設けた溝状の凹部１２ｂに下シェル２２の略Ｈ形状のリブ状の凸部１２ａが嵌合して、下シェル２２とシャッタ部材５ａ，５ｂの間にクランク状の第２の塵埃侵入阻止部１２を構成し、この第２の塵埃侵入阻止部１２が下シェル２２の開口部６の周縁部を囲った状態になっているので塵埃が開口部６側から下シェル２２とシャッタ部材５ａ，５ｂの接触面を介して光ディスク３側に侵入するのをより確実に阻止する。
【００７１】
上述したように、ディスクカートリッジ１がディスク記録再生装置に装着される前には、シャッタ５の一対のシャッタ部材５ａ，５ｂは、その自重や下シェル２２とインナーロータ４との間に生じている摩擦力等によって下シェル２２の開口部６及びインナーロータ４の開口部４２が完全に閉じられた状態に維持される。更に、インナーロータ４の２個のリフトアップ用の凸部４６が、上シェル２１のリング状凹部１７に設けた２個のリフトアップ用の凸部１８に乗り上げた状態になっている。そのため、一対のシャッタ部材５ａ、５ｂは、図１７Ａに示すように、上シェル２１とインナーロータ４とによって両側から挟持された状態となっている。
【００７２】
更に、図１６に示すように、ロック部材３２のバネ片３８のバネ力によってストッパ部３６がインナーロータ４のギア部４３に係合されている。そのため、一対のシャッタ部材５ａ，５ｂは、二重にロックされた状態となっている。従って、シャッタ５による開口部６，４２の閉塞状態を確実に保持することができ、振動等に起因してシャッタ５が誤って開かれるのを確実に防止することができる。
【００７３】
このような状態のディスクカートリッジ１を、図１５に示すように、ディスク記録再生装置６０に挿入することにより、このディスク記録再生装置６０に設けられているシャッタ開閉機構によってロック部材３２のロック状態が解除される。その後、このシャッタ開閉機構によってシャッタ５が開放され、開口部６，４２が開かれる。このシャッタ５の開閉動作は、次のディスクカートリッジの項で説明する。
【００７４】
（７）ディスクカートリッジの作用
次に、ディスクカートリッジの作用をディスク記録再生装置の構成と共に説明する。ディスク記録再生装置６０は、図１５に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００７５】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、ディスクカートリッジ１の正面側の大きさ略同程度の大きさに形成されている。このカートリッジ出入口６５は、その内側に配置された開閉扉６６によって常時は閉じられている。
【００７６】
この開閉扉６６をディスクカートリッジ１の前部で押圧し、所定の位置まで差し込む。これにより、図示しないローディング機構によってディスクカートリッジ１が自動的に取リ込まれる。そして、ローディング機構で搬送されたディスクカートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００７７】
ディスクカートリッジ１が所定の位置まで挿入されると、図１６に示すように、ディスク記録再生装置６０に内蔵されたシャッタ開閉機構のラック棒７０が、ディスクカートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められる。更に、ラック棒７０が相対的に前進することにより、そのギア部７０ａの先端がインナーロータ４のギア部４３に噛み合わされる。
【００７８】
このギア部４３がラック棒７０のギア部７０ａに噛み合うことにより、ラック棒７０の移動量に応じてインナーロータ４が回転される。
【００７９】
図１６は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６・４２の重複部分から塵埃がディスク収納部内に入り込む虞れがない。
【００８０】
更に、開口部６と開口部４２とが鋭角で接近している部分には、一対のシャッタ部材５ａ，５ｂの軸取付部５０ｃが介在されており、これら軸取付部５０ｃがリブ状の凸部１２ａの第２，第４の背高部１２ｅ，１２ｇの内側に位置して隙間を消滅させている。また、第１，第３の背高部１２ｄ，１２ｆの内側には閉鎖用の突片５５が介在されて隙間を消滅させている。更に、一対のシャッタ部材５ａ，５ｂに設けた長孔５３は、シャッタ部材５ａ，５ｂが重なっている下シェル２２によって閉じられている。更にまた、図１７（Ａ）及び図６に示したように、開口部６を囲むように下シェル２２に設けた略Ｈ形状のリブ状の凸部１２ａがシャッタ部材５ａ，５ｂに設けた溝状の凹部１２ｂに嵌まり込んでクランク状の第２の塵埃侵入阻止部１２が形成されると共に、第２の塵埃侵入阻止部１２の内側にはシャッタ部材５ａ，５ｂに設けた多数の凹凸からなるラビリンス状の第３の塵埃侵入阻止部１３が形成されているので、開口部６，４２を介して塵埃がディスク収納部内に侵入するおそれが無い。
【００８１】
この状態から、ディスクカートリッジ１の挿入動作に対応してラック棒７０がガイド溝３１内に入り込み、そのギア部７０ａとインナーロータ４のギア部４３との噛み合いが開始されると、インナーロータ４が反時計方向に回転される。この場合、インナーロータ４が回転動作を開始する初期状態では、図１６及び図１７Ａに示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図１７Ｂに示すように、リフトアップ用の凸部１８，４６相互の係合が外れ摩擦力が消滅する。そのため、これ以後のインナーロータ４の回転動作は、極めて軽く且つスムースに行うことができる。
【００８２】
インナーロータ４を回転により、インナーロータ４の底面に設けた嵌合解除用の台形状の凸部４８，４８が下シェル２２のリブ状の凸部１２ａの第１，第３の背高部１２ｄ，１２ｆに乗り上げて、下シェル２２に対してインナーロータ４が持ち上げられた状態になると共に、シャッタ部材５ａ，５ｂも上昇して、リブ状の凸部１２ａから溝状の凹部１２ｂが抜け出た状態になるのである。
【００８３】
このとき、シャッタ部材５ａ，５ｂの各軸受孔５２は、インナーロータ４の回転によって同様に回転される一方、他端側に設けた長孔５３には下シェル２２のボス状の凸部２０，２０がそれぞれ摺動可能に係合されている。この一対のボス状の凸部２０，２０は、下シェル２２に設けられていて移動することがない。その一方、長孔５３は、シャッタ部材５ａ，５ｂの回動に追従してボス状の凸部２０，２０との間に相対移動が可能なように軸受孔５２とボス状の凸部２０を結ぶ方向Ｓに延在されているので、シャッタ部材５ａ，５ｂの回動量に応じてボス状の凸部２０が長孔５３内を軸受孔５２側に相対移動する。これにより、各シャッタ部材５ａ，５ｂにおいて軸受孔５２が対応するボス状の凸部２０側に移動する。その結果、図１８の状態から、図１９、図２０及び図２１の状態を経て、図２２に示すように、各シャッタ部材５ａ，５ｂがインナーロータ４の開口部４２の両側部に移動する。これにより、上下の開口部６，４２が完全に開放される。そのため、ディスク収納部内に収納されている光デイスク３の一部が開口部６，４２によって露出される。
【００８４】
その結果、図２３に示すように、開口部６，４２に対するターンテーブル６７及び図示省略の光学ヘッドの挿入が可能となる。そこで、ターンテーブル６７等をディスクカートリッジ１側へ移動するか又はディスクカートリッジ１をターンテーブル６７側へ移動することにより、ターンテーブル６７及び光学ヘッドが開口部６内に入り込む。その結果、ターンテーブル６７に光ディスク３が装着されてチャッキングされると共に、光学ヘッドが所定の間隔を保持して光ディスク３の情報記録領域２９ａに対面される。これにより、ディスク記録再生装置６０による光ディスク３の情報記録領域２９ａに対する情報信号の再生又は記録が可能となる。
【００８５】
そこで、スピンドルモータの駆動によリターンテーブル６７を介して光ディスク３を回転させると共に、光学ヘッドからレーザ光を出射して情報記録領域２９ａに予め記録されている情報信号を読み出し、又はその情報記録領域２９ａに対して新たな情報信号を書き込むことができる。これにより、記録再生装置本体６２による情報信号の再生又は記録が実行される。
【００８６】
このようにして行われる情報信号の再生又は記録の後、例えば、ディスク記録再生装置６０に設けられるカートリッジ排出ボタン（図示せず）を操作することにより、ローディング機構の作動を介してディスクカートリッジ１がディスク記録再生装置６０から排出される。即ち、ローディング機構の排出動作によってディスクカートリッジ１がカートリッジ出入口６５側に移動すると、相対的にラック棒７０が後退動作される。
【００８７】
このラック棒７０の後退動作により、インナーロータ４及び一対のシャッタ部材５ａ，５ｂが上述した挿入時とは逆の動作を実行する。即ち、図２２に示す一対のシャッタ部材５ａ，５ｂが完全に開いた状態から、インナーロータ４及び一対のシャッタ部材５ａ，５ｂが時計方向に回動し、図２１、図２０及び図１９の状態を経て、図１８の状態に変化する。この図２１〜図１８の状態では、インナーロータ４のリフトアップ用の凸部４６は、下シェル２２のリフトアップ用の凸部１８と非接触状態にあるため、インナーロータ４を軽い力Ｆで回転させることができる。
【００８８】
次に、インナーロータ４が図１８の状態から図１６の状態に変化する際に、インナーロータ４のリフトアップ用の凸部４６が下シェル２２のリフトアップ用の凸部１８に乗り上げるため、これ以後、インナーロータ４の回動には上述した摩擦力が加えられる。一方、ボス状の凸部２０に対して長孔５３が最外側部まで移動し、弾性片５４に接触してこれを抑圧する。これにより、ボス状の凸部２０の押圧力によって弾性片５４にバネ力Ｘが発生する。この弾性片５４のバネ力Ｘによって中央の段部５０には、他方のシャッタ部材５ａ又は５ｂに作用する圧接力Ｙが発生する。
【００８９】
この圧接力Ｙは、一対のシャッタ部材５ａ，５ｂの両者に発生するため、互いの圧接力Ｙによって一対のシャッタ部材５ａ，５ｂの密閉性が更に高められる。従って、一対のシャッタ部材５ａ，５ｂの接合部における防塵性を向上させて、塵埃等がディスク収納部内に侵入するのをより効果的に防止することができる。
【００９０】
その後、ラック棒７０のギア部７０ａがギア部４３から外れた後、そのラック棒７０が開口穴３４を通過することにより、ロック部材３２の操作部３７が開口穴３４からガイド溝３１内に突出される。これと同時に、ストッパ部３６が内側に移動してギア部４３に噛み合わされる。その結果、ロック部材３２によってインナーロータ４がロックされ、その回動が停止される。そして、図１４及び図１６に示すように、一対のシャッタ部材５ａ，５ｂによって開口部６，４２の全体が完全に閉じられる。
【００９１】
（８）他の実施例
実施例においては、情報記録媒体として光ディスクを用いた例について説明したが、光磁気ディスク、フロッピーディスク等の磁気ディスク、その他各種のディスク状記録媒体に適用することができる。更に、上記実施例では、情報記録再生装置として記録再生兼用のディスク記録再生装置に適用した例について説明したが、記録又は再生の一方のみが可能なディスク記録装置又はディスク再生装置に適用できることは勿論である。
【００９２】
また、上記実施例においては、カートリッジ筐体２の下シェル２２に開口部６を設けた例について説明したが、例えば、上シェル２１にも開口部６を設け、カートリッジ筐体２の上，下シェル２１，２２の両方から光ディスク３に同時にアクセスできる構造とすることもできる。また、開口部６の形状を変えて複数の光学ヘッドを同時に挿入できるようにしてもよい。
【００９３】
【発明の効果】
本発明のディスクカートリッジには次に述べるような効果がある。
（１）請求項１のディスクカートリッジは、上，下シェルの周壁の突き合せ面から侵入してきた塵埃がディスク状記録媒体側に移動するのをクランク状の第１の塵埃侵入阻止部で確実に阻止することができる。
（２）請求項２のディスクカートリッジは、第１の塵埃侵入阻止部を構成する第１，第２の防塵壁を、カートリッジ筐体の周壁の高さと同じ高さに形成したので、これら第１，第２の防塵壁の先端面は、それぞれ上シェル又は下シェルの内面に接触して、該接触面においても塵埃の侵入を阻止する。
（３）請求項３のディスクカートリッジは、第１の防塵壁と第２の防塵壁との間のクリアランスを、０．１ｍｍ以上、０．５ｍｍ以下に設定したので、上下シェルの組付性を損なうことなく微小な塵埃の侵入も阻止することができる。
（４）請求項４のディスクカートリッジは、万一、開口部から塵埃が侵入した場合でも、クランク状の第２の塵埃侵入阻止部によって、上記塵埃がディスク状記録媒体側に移動するのを阻止することができる。
（５）請求項５のディスクカートリッジは、上記第２の塵埃侵入阻止部を、開口部を囲むようにカートリッジ筐体のシェルに設けられたリブ状の凸部と、シャッタが開口部を閉じる第１の位置に移動してきたときに上記リブ状の凸部が嵌合する溝状の凹部とで構成したので、これら凸部と凹部の嵌合により、塵埃がディスク状記録媒体側に侵入するのを確実に阻止することができる。
（６）請求項６のディスクカートリッジは、開口部から侵入してきた塵埃がディスク状記録媒体側に移動するのをシェルとシャッタの摺接面に設けたラビリンス状の第３の塵埃侵入阻止部で阻止することができる。
（７）請求項７のディスクカートリッジは、第２の塵埃侵入阻止部の内側に第３の塵埃侵入阻止部を設けたので、これら第２、第３の塵埃侵入阻止部によって２段階で塵埃の侵入を阻止することができる。
【図面の簡単な説明】
【図１】第１の実施例のディスクカートリッジを上面側から見た斜視図。
【図２】図１の分解斜視図。
【図３】第１の実施例のディスクカートリッジを下面側から見た斜視図。
【図４】図３の分解斜視図。
【図５】図１のＡ−Ａ断面図。
【図６】図３のＢ−Ｂ断面図。
【図７】上シェルの内面側の平面図。
【図８】下シェルの内面側の平面図。
【図９】下シェルにインナーロータを組み付けて両者の開口部の位置を合わせた状態の平面図。
【図１０】下シェルにインナーロータを組み付けて両者の開口部の位置をずらした状態の平面図。
【図１１】シャッタ部材を上面側から見た斜視図。
【図１２】シャッタ部材を下面側から見た斜視図。
【図１３】シャッタ部材をインナーロータに取り付けて開口部を開いた状態の斜視図。
【図１４】シャッタ部材をインナーロータに取り付けて開口部を閉じた状態の斜視図。
【図１５】ディスク記録再生装置の斜視図。
【図１６】カートリッジ筐体とシャッタ機構との動作関係を示し、シャッタ部材で開口部を完全に閉じた状態を示す説明図。
【図１７】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図１８】図１６の状態からインナーロータが少し回転して一対のシャッタ部材が少し開いた状態を示す説明図。
【図１９】図１８の状態からインナーロータが更に少し回転して一対のシャッタ部材が更に少し開いた状態を示す説明図。
【図２０】図１９の状態からインナーロータが更に回転して一対のシャッタ部材が更に開いた状態を示す説明図。
【図２１】図２０の状態からインナーロータが更に回転して一対のシャッタ部材が更に開いた状態を示す説明図。
【図２２】図２１の状態からインナーロータが更に回転して一対のシャッタ部材が完全に開いた状態を示す説明図。
【図２３】ディスクカートリッジの中央部を縦方向に断面にし、ターンテーブルとの関係を示す説明図。
【図２４】従来のディスクカートリッジを示す斜視図。
【符号の説明】
１…ディスクカートリッジ、２…カートリッジ筐体、３…光ディスク（ディスク状記録媒体）、４…インナーロータ、５…シャッタ機構、６…開口部、１１…第１の塵埃侵入阻止部、１１ａ，１１ｂ…第１，第２の防塵壁、１２…第２の塵埃侵入阻止部、１２ａ…リブ状の凸部、１２ｂ…溝状の凹部、１３…第３の塵埃侵入阻止部、２１，２２…上，下シェル，２１，２２…周壁部。
【図１】
0003601480.tif 000002
【図２】
0003601480.tif 000003
【図３】
0003601480.tif 000004
【図４】
0003601480.tif 000005
【図５】
0003601480.tif 000006
【図６】
0003601480.tif 000007
【図７】
0003601480.tif 000008
【図８】
0003601480.tif 000009
【図９】
0003601480.tif 000010
【図１０】
0003601480.tif 000011
【図１１】
0003601480.tif 000012
【図１２】
0003601480.tif 000013
【図１３】
0003601480.tif 000014
【図１４】
0003601480.tif 000015
【図１５】
0003601480.tif 000016
【図１６】
0003601480.tif 000017
【図１７】
0003601480.tif 000018
【図１８】
0003601480.tif 000019
【図１９】
0003601480.tif 000020
【図２０】
0003601480.tif 000021
【図２１】
0003601480.tif 000022
【図２２】
0003601480.tif 000023
【図２３】
0003601480.tif 000024
【図２４】
0003601480.tif 000025